(57)【要約】【課題】窓障子のない新開口部に安価に、且つ短い工期で改修できる開口部の改修方法を提供することを目的としている。【解決手段】敷居３１と鴨居３７と両側の縦枠３８とからなる障子枠３に窓障子４がはめ込まれた既開口部１を、窓障子のない新開口部２に改修する開口部の改修方法であって、前記障子枠３は設置状態のまま、窓障子４だけを取り外し、敷居と鴨居の障子溝３２を板状材３３で埋めて表面を面一にした後、障子枠３の露出面を化粧仕上げすることを特徴とする。【選択図】  図１
2004285587.tif 000002
【特許請求の範囲】
【請求項１】
敷居と鴨居と両側の縦枠とからなる障子枠に窓障子がはめ込まれた既開口部を、窓障子のない新開口部に改修する開口部の改修方法であって、前記障子枠は設置状態のまま、窓障子だけを取り外し、敷居と鴨居の障子溝を板状材で埋めて表面を面一にした後、障子枠の露出面を化粧仕上げすることを特徴とする開口部の改修方法。
【請求項２】
敷居と鴨居と両側の縦枠とからなる障子枠に窓障子がはめ込まれた既開口部を、窓障子のない新開口部に改修する開口部の改修方法であって、前記障子枠は設置状態のまま、窓障子だけを取り外し、敷居と鴨居の障子溝が付けられた面を板状材で覆って面一にした後、障子枠の露出面を化粧仕上げすることを特徴とする開口部の改修方法。
【請求項３】
前記既開口部は、屋外側にサッシ窓を有し、該サッシ窓の室内側に、前記窓障子としての和障子がはめ込まれた前記障子枠が設けられていることを特徴とする請求項１または２記載の開口部の改修方法。
【発明の詳細な説明】
【０００１】
【発明の属する技術分野】
この発明は、建物の開口部の改修方法に関する。
【０００２】
【従来の技術】
従来、リフォーム用窓枠として、特許文献１に記載されたものが知られている。このリフォーム用窓枠は、窓開口部枠の外縁に沿って外壁面カバー部を形成してなる外枠と、前記外枠の窓開口部枠に対して室内側からスライド自在に嵌合する窓開口部枠を形成して成る内枠と、からなるものである。
【０００３】
【特許文献１】
特開平１１−６２３９２号公報
【０００４】
【発明が解決しようとする課題】
特許文献１に記載のものは、外枠に外壁面カバー部を形成し、このカバー部で外壁面の補修跡を覆うようにしているので、大工、左官、塗装等の専門施工者の手を借りないで既設窓を新窓に改修できる。
しかしながら、窓障子が取り付けられた既設の開口部を、窓障子を設けない新開口部に改修する場合、上記特許文献１に記載の技術を用いると、既設の窓枠を取り外す手間と、その後に取り付けるリフォーム用窓枠の新設費用と、その設置の手間とがかかり、改修費用が高く、工期もかかるという問題があった。
【０００５】
本発明は、上記の問題を解決するためになされたものであって、窓障子のない新開口部に安価に、且つ短い工期で改修できる開口部の改修方法を提供することを目的としている。
【０００６】
【課題を解決するための手段】
請求項１記載の発明は、敷居と鴨居と両側の縦枠とからなる障子枠に窓障子がはめ込まれた既開口部を、窓障子のない新開口部に改修する開口部の改修方法であって、前記障子枠は設置状態のまま、窓障子だけを取り外し、敷居と鴨居の障子溝を板状材で埋めて表面を面一にした後、障子枠の露出面を化粧仕上げすることを特徴とする。
【０００７】
請求項２記載の発明は、敷居と鴨居と両側の縦枠とからなる障子枠に窓障子がはめ込まれた既開口部を、窓障子のない新開口部に改修する開口部の改修方法であって、前記障子枠は設置状態のまま、窓障子だけを取り外し、敷居と鴨居の障子溝が付けられた面を板状材で覆って面一にした後、障子枠の露出面を化粧仕上げすることを特徴とする。
【０００８】
請求項３記載の発明は、請求項１または２記載の開口部の改修方法において、前記既開口部は、屋外側にサッシ窓を有し、該サッシ窓の室内側に、前記窓障子としての和障子がはめ込まれた前記障子枠が設けられていることを特徴とする。
【０００９】
（作用）
請求項１記載の発明によると、前記障子枠は設置状態のまま、窓障子だけを取り外して、窓障子のない新開口部に改修するので、障子枠回りの壁面仕上げ等に影響を与えることがなく、窓障子のない新開口部に安価に、且つ短い工期で改修できる。
この際、障子溝を板状材で埋めて表面を面一にした後、障子枠の露出面を化粧仕上げするので、化粧仕上げに使用する化粧材の肉厚を薄くでき、化粧仕上げも安価にできる。
【００１０】
請求項２記載の発明によると、前記障子枠は設置状態のまま、窓障子だけを取り外して、窓障子のない新開口部に改修するので、障子枠回りの壁面仕上げ等に影響を与えることなく、窓障子のない新開口部に安価に、且つ短い工期で改修できる。
この際、障子溝が付けられた面を板状材で覆って面一にしているので、化粧仕上げに使用する化粧材の肉厚を薄くでき、化粧仕上げも安価に改修できる。
【００１１】
請求項３記載の発明によると、さらに、前記既開口部は、屋外側にサッシ窓を有し、該サッシ窓の室内側に、和障子がはめ込まれた前記障子枠が設けられたものであるから、和障子を取り外し、障子枠の露出面を洋室用の化粧仕上げにして、既開口部を新開口部に改修すると、和室から洋室への改修が容易となる。
【００１２】
【発明の実施の形態】
以下、この発明の一実施の形態について図１，図２を参照して説明する。
図１は、図２の新開口部の敷居部における断面図であり、図２（イ）は既開口部の斜視図であり、（ロ）は新開口部の斜視図である。
【００１３】
本実施の形態は、敷居３１と鴨居３７と両側の縦枠３８，３８とからなる障子枠３に、２枚の窓障子４，４がはめ込まれた既開口部１を（図２（イ）参照）、窓障子４，４のない新開口部２（図２（ロ）参照）に改修する既開口部１の改修方法である。
【００１４】
前記既開口部１は、図１に示すように、屋外側にサッシ窓５を有し、該サッシ窓５の室内側に前記障子枠３が設けられ、この障子枠３に和室用の前記窓障子４，４（和障子）がはめ込まれた和室用のものである。
【００１５】
上記既開口部１の改修方法を、図１を参照しながら手順を追って説明する。
（１）  まず、前記障子枠３と屋外側の窓サッシ５は、取り外さないで設置状態のままにし、障子枠３にはめ込まれた窓障子４，４（和障子）だけを取り外す。
（２）  そして、図１に示すように、敷居３１の２列の障子溝３２，３２を、板状材３３，３３で埋める。
この際、障子溝３２は、敷居滑り（厚さ１ミリ）により実質の溝深さが３ｍｍで、溝幅が２１ｍｍになされていたので、板状材３３としては、厚さ３ｍｍ、幅２０ｍｍの合板を敷居３１の長さに切断したものを使用した。
上記板状材３３の一方の面に接着剤（木工ボンド）を塗布し、接着剤を塗布した面を下側に向けて障子溝３２に挿入し、板状材３３を障子溝３２に接着する。
（３）  養生後、敷居３１の表面から突出する余分な板状材３３をカンナ、ノミ等で削り、敷居３１の表面を面一にし、板状材３３をさらにステープル（不図示）で固定する。ステープルの頭は板状材３３より突出しないようにする。
【００１６】
（４）  上記と同様にして、鴨居３７の障子溝（不図示）を板状材（不図示）で埋める。
この際、鴨居３７の障子溝は、深さ１５ｍｍ、幅２１ｍｍになされていたので、この障子溝を埋める板状材としては、厚さ１５ｍｍのパーティクルボードを使用した。
【００１７】
（５）  上記のようにして、敷居３１と鴨居３７の障子溝を板状材で埋めて面一にした後、障子枠３の敷居３１，鴨居３７，縦枠３８の露出する表面に、オーバーレイ化粧材３４を接着剤と隠し釘にて固定して仕上げをする。
この際、屋外側に設けた窓サッシ５のサッシ枠５１と、敷居３１との間には、２．５ｍｍの段差があったので、オーバーレイ化粧材３４としては、厚さ２．５ｍｍの薄い材料を使用して仕上げ、上記段差を無くする納まりとした（図１参照）。
【００１８】
（実施の形態の作用）
本実施の形態によると、障子枠３は設置状態のまま、窓障子４だけを取り外して、既開口部１を窓障子４のない新開口部２に改修するので、障子枠３回りの壁面仕上げ等に影響を与えることがない。このため、窓障子４のない新開口部２に安価に、且つ短い工期で改修できる。
この際、障子溝３２を板状材３３で埋めて表面を面一にした後、障子枠３の露出面を化粧材３４で仕上げするので、化粧仕上げに使用する化粧材３４の肉厚を薄くしても、人が踏んでも割れや剥がれが生じないので、化粧仕上げも安価にできる。
【００１９】
本実施の形態によると、さらに、既開口部１は、屋外側にサッシ窓５を有し、該サッシ窓５の室内側に、窓障子４として和障子がはめ込まれた前記障子枠３が設けられたものであるから、和障子を取り外し、障子枠３の露出面を洋室用の化粧仕上げにして、既開口部１を新開口部２に改修すると、和室から洋室への改修が容易となる。
【００２０】
つぎに、この発明の別の実施の形態について図３を参照して説明する。
図３は、図２の新開口部の敷居部における断面図である。
【００２１】
本実施の形態は、前記実施の形態と同じくされた既開口部１を（図２（イ）参照）、窓障子４，４のない新開口部２（図２（ロ）参照）に改修する既開口部１の改修方法である。
【００２２】
上記既開口部１の改修方法を、図３を参照しながら手順を追って説明する。
（１）  まず、前記障子枠３と屋外側の窓サッシ５は、取り外さないで設置状態のままにし、障子枠３にはめ込まれた窓障子４，４（和障子）だけを取り外す。
（２）  そして、図３に示すように、敷居３１の障子溝３２，３２が付けられた面に、板状材３５を貼って面一にする。
この際、敷居３１の障子溝３２，３２が付けられた面が凸凹していて平坦でない場合、カンナ・ノミ等で高さを揃えておく。
板状材３５としては、厚さ３ｍｍの合板を略敷居３１の幅と長さに切断したものを使用した。
上記板状材３５の一方の面に接着剤（木工ボンド）を塗布し、板状材３５を敷居３１の上に接着する。
（３）  養生後、板状材３５をさらにステープル（不図示）で固定する。ステープルの頭は板状材３５より突出しないようにする。
【００２３】
（４）  上記と同様にして、鴨居３７の障子溝（不図示）が付けられた面を板状材３５と同じ厚さの合板（不図示）で覆う。
【００２４】
（５）  上記のようにして、敷居３１と鴨居３７の障子溝を板状材で覆って面一にした後、障子枠３の敷居３１，鴨居３７，縦枠３８の露出する表面に、オーバーレイ化粧材３６を接着剤と隠し釘にて固定して仕上げをする。
この際、屋外側に設けた窓サッシ５のサッシ枠５１と、敷居３１との間には、約３ｍｍの段差があったが、上記板状材３５で前記段差を無くする納まりとした。オーバーレイ化粧材３６としては、厚さ２．５ｍｍの薄い材料を使用して仕上げ、サッシ枠５１と板状材３５との間に跨がるようにした（図３参照）。
【００２５】
（実施の形態の作用）
本実施の形態によると、前記実施の形態と同様、障子枠３は設置状態のまま、窓障子４だけを取り外して、窓障子４のない新開口部２に改修するので、障子枠３回りの壁面仕上げ等に影響を与えることなく、窓障子４のない新開口部２に安価に、且つ短い工期で改修できる。
この際、障子溝３２が付けられた面を板状材３５で覆って面一にしているので、化粧仕上げに使用する化粧材３６の肉厚を薄くしても、人が踏んでも割れや剥がれが生じないので、化粧仕上げも安価に改修できる。
【００２６】
以上、本発明の実施の形態を図面を参照して説明したが、本発明は上記実施の形態に限られるものではなく、本発明の要旨を変更しない範囲の設計変更等があっても、本発明に含まれる。
【００２７】
【発明の効果】
請求項１、請求項２記載の発明によると、障子枠回りの壁面仕上げ等に影響を与えることがなく、窓障子のない新開口部に安価に、且つ短い工期で改修できる。
この際、化粧仕上げに使用する化粧材の肉厚を薄くでき、化粧仕上げも安価にできる。
【００２８】
請求項３記載の発明によると、さらに、和障子を取り外し、障子枠の露出面を洋室用の化粧仕上げにして、既開口部を新開口部に改修すると、和室から洋室への改修が容易となる。
【図面の簡単な説明】
【図１】この発明の一実施の形態を示し、図２の新開口部の敷居部における断面図である。
【図２】（イ）は既開口部の斜視図であり、（ロ）は新開口部の斜視図である。
【図３】この発明の別の実施の形態を示し、図２の新開口部の敷居部における断面図である。
【符号の説明】
１  既開口部
２  新開口部
３  障子枠
３１  敷居
３２  障子溝
３３，３５  板状材
３７  鴨居
３８  縦枠
４  窓障子
５  サッシ窓
【図１】
2004285587.tif 000003
【図２】
2004285587.tif 000004
【図３】
2004285587.tif 000005